【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
会員遊技者に所有される会員用記録媒体に対応付けて当該会員遊技者が獲得し当日のみ使用可能に貯蓄される当日貯蓄媒体数を記憶すると共に、ビジタ遊技者に所有されるビジタ用記録媒体に対応付けて当該ビジタ遊技者が獲得し当日のみ使用可能に貯蓄される当日貯蓄数を記憶する当日貯蓄数管理装置と、
前記ビジタ用記録媒体を受け付けるビジタ用記録媒体受付装置と、
前記当日貯蓄数管理装置と通信するための第１通信手段と、前記ビジタ用記録媒体受付装置と通信するための第２通信手段と、前記会員用記録媒体に対応付けて前記会員遊技者が獲得し当日及び翌日以降も使用可能に貯蓄される過去貯蓄数を記憶する過去貯蓄数管理装置と通信可能であり、前記会員用記録媒体を受け付け、該受け付けた会員用記録媒体に対応する前記当日貯蓄媒体数、前記過去貯蓄数、前記ビジタ用記録媒体受付装置により受け付けたビジタ用記録媒体に対応する前記当日貯蓄数を使用した景品交換処理を行う景品交換装置と通信するための第３通信手段と、を有する中継装置と、
を備える遊技用システムであって、
前記中継装置は、
前記会員用記録媒体を受け付けた前記景品交換装置から当該会員用記録媒体の記録情報を受信したことに基づいて、当該会員用記録媒体に対応する当日貯蓄媒体数を前記当日貯蓄数管理装置から取得する当日貯蓄媒体数取得処理と、該取得した当日貯蓄媒体数を前記景品交換処理に使用させるために前記景品交換装置に対して送信する当日貯蓄媒体数送信処理とを行う当日貯蓄媒体数処理手段と、
前記ビジタ用記録媒体を受け付けた前記ビジタ用記録媒体受付装置から当該ビジタ用記録媒体の記録情報を受信したことに基づいて、当該ビジタ用記録媒体に対応する当日貯蓄数を前記当日貯蓄数管理装置から取得する当日貯蓄数取得処理と、該取得した当日貯蓄数を前記景品交換処理に使用させるために前記景品交換装置に対して送信する当日貯蓄数送信処理とを行う当日貯蓄数処理手段と、を有し、
前記当日貯蓄媒体数処理手段は、前記当日貯蓄媒体数送信処理に伴って、前記景品交換装置で受け付けた会員用記録媒体に基づく前記当日貯蓄媒体数を零にするための当日貯蓄媒体数零処理を行うと共に、前記景品交換装置から当日貯蓄媒体数を受信したことに基づいて、前記会員用記録媒体に基づく当日貯蓄媒体数を当該受信した当日貯蓄媒体数に更新するための当日貯蓄媒体数更新処理を行い、
前記当日貯蓄数処理手段は、前記当日貯蓄数送信処理に伴って、前記ビジタ用記録媒体受付装置で受け付けたビジタ用記録媒体に基づく前記当日貯蓄数を零にするための当日貯蓄数零処理を行うと共に、前記景品交換装置から当日貯蓄数を受信したことに基づいて、前記ビジタ用記録媒体に基づく当日貯蓄数を当該受信した当日貯蓄数に更新するための当日貯蓄数更新処理を行うことを特徴とする遊技用システム。
【手続補正２】
【補正対象書類名】明細書
【補正対象項目名】発明の名称
【補正方法】変更
【補正の内容】
【発明の名称】遊技用システム
【手続補正３】
【補正対象書類名】明細書
【補正対象項目名】０００１
【補正方法】変更
【補正の内容】
【０００１】
本発明は、遊技者が獲得し当日のみ使用可能に貯蓄される当日貯蓄数を記憶する当日貯蓄数管理装置，ビジタ用記録媒体を受け付けるビジタ用記録媒体受付装置，及び景品交換処理を行う景品交換装置のそれぞれと通信可能な中継装置を備える遊技用システムに関する。
【手続補正４】
【補正対象書類名】明細書
【補正対象項目名】０００６
【補正方法】変更
【補正の内容】
【０００６】
本発明は、このような背景のもとになされたものであり、その目的は、当日のみ使用可能な遊技媒体数を管理するシステムと当日及び翌日以降も使用可能な遊技媒体数を管理するシステムとを導入するにあたり、該遊技媒体数を含む情報の確実なやり取りが担保できるような中継装置を備える遊技用システムを提供することにある。
【手続補正５】
【補正対象書類名】明細書
【補正対象項目名】００１６
【補正方法】変更
【補正の内容】
【００１６】
さらに手段５に係る発明は、
会員遊技者に所有される会員用記録媒体（会員カード２）に対応付けて当該会員遊技者が獲得し当日のみ使用可能に貯蓄される当日貯蓄媒体数（持玉数）を記憶すると共に、ビジタ遊技者に所有されるビジタ用記録媒体（ビジタカード３）に対応付けて当該ビジタ遊技者が獲得し当日のみ使用可能に貯蓄される当日貯蓄数（持玉数）を記憶する当日貯蓄数管理装置（持玉サーバ２０）と、
前記ビジタ用記録媒体を受け付けるビジタ用記録媒体受付装置（カード受付装置３０）と、
前記当日貯蓄数管理装置と通信するための第１通信手段（第１通信部１１ａ）と、前記ビジタ用記録媒体受付装置と通信するための第２通信手段（第２通信部１１ｂ）と、前記会員用記録媒体に対応付けて前記会員遊技者が獲得し当日及び翌日以降も使用可能に貯蓄される過去貯蓄数（貯玉数）を記憶する過去貯蓄数管理装置（貯玉サーバ５０）と通信可能であり、前記会員用記録媒体を受け付け、該受け付けた会員用記録媒体に対応する前記当日貯蓄媒体数、前記過去貯蓄数、前記ビジタ用記録媒体受付装置により受け付けたビジタ用記録媒体に対応する前記当日貯蓄数を使用した景品交換処理を行う景品交換装置と通信するための第３通信手段（第３通信部１１ｃ）と、を有する中継装置（１０）と、
を備える遊技用システム（１）であって、
前記中継装置は、
前記会員用記録媒体を受け付けた前記景品交換装置から当該会員用記録媒体の記録情報（Ｓｂ０２の会員カード挿入通知に含まれる会員カードＩＤ）を受信したことに基づいて、当該会員用記録媒体に対応する当日貯蓄媒体数を前記当日貯蓄数管理装置から取得する当日貯蓄媒体数取得処理（Ｓｂ１１のカード挿入通知を送信する処理）と、該取得した当日貯蓄媒体数を前記景品交換処理に使用させるために前記景品交換装置に対して送信する当日貯蓄媒体数送信処理（Ｓｂ２１の持玉数通知を送信する処理）とを行う当日貯蓄媒体数処理手段（制御部１２）と、
前記ビジタ用記録媒体を受け付けた前記ビジタ用記録媒体受付装置から当該ビジタ用記録媒体の記録情報（Ｓｄ０２のカード情報通知に含まれるビジタカードＩＤ）を受信したことに基づいて、当該ビジタ用記録媒体に対応する当日貯蓄数を前記当日貯蓄数管理装置から取得する当日貯蓄数取得処理（Ｓｄ１１のカード挿入通知を送信する処理）と、該取得した当日貯蓄数を前記景品交換処理に使用させるために前記景品交換装置に対して送信する当日貯蓄数送信処理（Ｓｄ２１の持玉数通知を送信する処理）とを行う当日貯蓄数処理手段（制御部１２）と、を有し、
前記当日貯蓄媒体数処理手段は、前記当日貯蓄媒体数送信処理に伴って、前記景品交換装置で受け付けた会員用記録媒体に基づく前記当日貯蓄媒体数を零にするための当日貯蓄媒体数零処理（持玉サーバの持玉数を零にするためにＳｄ１５のカード挿入レスポンスを送信する処理）を行うと共に、前記景品交換装置から当日貯蓄媒体数（Ｓｂ３２の処理結果通知に含まれる処理後持玉数）を受信したことに基づいて、前記会員用記録媒体に基づく当日貯蓄媒体数を当該受信した当日貯蓄媒体数に更新するための当日貯蓄媒体数更新処理（持玉サーバの持玉数を処理後持玉数に更新するためにＳｂ４１のカード排出通知を送信する処理）を行い、
前記当日貯蓄数処理手段は、前記当日貯蓄数送信処理に伴って、前記ビジタ用記録媒体受付装置で受け付けたビジタ用記録媒体に基づく前記当日貯蓄数を零にするための当日貯蓄数零処理（持玉サーバの持玉数を零にするためにＳｄ１５のカード挿入レスポンスを送信する処理，及びビジタカード３が記録している持玉数を零にするためにＳｄ２３の記録更新要求を送信する処理）を行うと共に、前記景品交換装置から当日貯蓄数（Ｓｄ３２の処理結果通知に含まれる処理後持玉数）を受信したことに基づいて、前記ビジタ用記録媒体に基づく当日貯蓄数を当該受信した当日貯蓄数に更新するための当日貯蓄数更新処理（持玉サーバの持玉数を処理後持玉数に更新するためにＳｄ４１のカード排出通知を送信する処理，及びビジタカードが記録している持玉数を処理後持玉数に更新するためにＳｄ４８の記録更新要求を送信する処理）を行うことを特徴とする遊技用システムである。
【手続補正６】
【補正対象書類名】明細書
【補正対象項目名】００１７
【補正方法】変更
【補正の内容】
【００１７】
この手段５に係る遊技用システムによれば、中継装置が、取得した当日貯蓄数を景品交換装置に送信する際に、記録媒体に基づく当日貯蓄数を一旦零にする処理を行い、景品交換装置から当日貯蓄数を受信すると、記録媒体に基づく当日貯蓄数を該受信した当日貯蓄数に更新する処理を行うので、該当日貯蓄数を含む情報の確実なやり取りが担保できる。